(57)【要約】【課題】筆記体としてシャープペンシルを収容した場合でも、消しゴムを別に用意する必要がなく、しかも、シャープペンシルによる筆跡を消す際、迅速に消去作業を開始できる多芯筆記具を提供する。【解決手段】軸筒２内に複数の筆記体６を前後方向に移動可能に収容する。筆記体６の後端に操作体７を取り付ける。軸筒２の側壁に軸方向に延びる複数の窓孔４１を径方向に貫設する。窓孔４１から径方向外方に操作体７の操作部７１を突出させる。軸筒２の後端に、窓孔４１を後方に開口させる開閉自在の開口部４２を設ける。開口部４２を介して筆記体６及び操作体７を連結状態で軸筒２内から取り外し可能且つ軸筒２内に挿入可能に構成する。軸筒２の後端部に、開口部４２を開閉自在とする蓋部５を設ける。少なくとも筆記体６の一つがシャープペンシルであり、蓋部５に消しゴムを設ける。【選択図】  図１
2011084007.tif 000002
【特許請求の範囲】
【請求項１】
軸筒内に複数の筆記体を前後方向に移動可能に収容し、前記各々の筆記体の後端に操作体を取り付け、前記各々の操作体をコイルスプリングにより後方に付勢し、前記軸筒の側壁に軸方向に延びる複数の窓孔を径方向に貫設し、前記各々の窓孔から径方向外方に前記各々の操作体の操作部を突出させ、一つの操作部を窓孔に沿って前方にスライドさせることにより、その一つの操作体が取り付けられた筆記体のペン先を軸筒の前端孔から突出させるとともに、先に突出状態にあった他の筆記体のペン先を軸筒内に没入させてなり、前記軸筒の後端に、前記各々の窓孔を後方に開口させる開閉自在の開口部を設け、前記開口部を介して筆記体及び操作体を連結状態で軸筒内から取り外し可能且つ軸筒内に挿入可能に構成し、前記軸筒の後端部に、前記開口部を開閉自在とする蓋部を設けた多芯筆記具であって、少なくとも筆記体の一つがシャープペンシルであり、前記蓋部に消しゴムを設けたことを特徴とする多芯筆記具。
【請求項２】
蓋部を前方に押圧操作することによって開口部が閉鎖される構造を備え、前記蓋部の後面に消しゴムを突設させた請求項２記載の多芯筆記具。
【請求項３】
蓋部の後面に取付孔を設け、前記取付孔内に消しゴムを嵌入した請求項１または２記載の多芯筆記具。
【請求項４】
前記消しゴムを取付孔に交換可能に取り付けた請求項３記載の多芯筆記具。
【請求項５】
前記取付孔の底壁に前後方向に孔を貫通させた請求項４記載の多芯筆記具。
【発明の詳細な説明】
【技術分野】
【０００１】
本発明は、多芯筆記具に関する。詳細には、軸筒内に複数の筆記体を収容し、筆記体とその後端に連結される操作体とを交換可能に構成した多芯筆記具に関する。
【背景技術】
【０００２】
従来、この種の多芯筆記具において、特許文献１には、軸筒の後端に、窓孔を後方に開口させる開閉自在の開口部を設け、前記開口部を介して筆記体と操作体とを、連結状態で、軸筒内から取り外し可能且つ軸筒内に挿入可能に構成したことが開示されている。また、特許文献１には、筆記体としてシャープペンシルを採用し、前軸に対して後軸を前後方向に移動可能に構成し、後軸の前進により鉛芯の繰り出しを可能にすることが記載されている。
【先行技術文献】
【特許文献】
【０００３】
【特許文献１】特開２００７−３８６３５号公報
【発明の概要】
【発明が解決しようとする課題】
【０００４】
ところが、前記特許文献１の多芯筆記具は、軸筒内に筆記体としてシャープペンシルを収容した場合、シャープペンシルで筆記した筆跡を消去するには、消しゴムを別に用意する必要があり、携帯に不便が生じる。また、前記従来の多芯筆記具は、別に消しゴムが必要であるため、シャープペンシルによる筆跡を消す際、消しゴムを探す手間を要し、迅速に消去作業を開始できないことがある。
【０００５】
本発明は、前記従来の問題点を解決するものであって、筆記体としてシャープペンシルを収容した場合でも、消しゴムを別に用意する必要がなく、しかも、シャープペンシルによる筆跡を消す際、迅速に消去作業を開始できる多芯筆記具を提供しようとするものである。尚、本発明において、軸筒において、「前」とは前端孔側を指し、「後」とはその反対側を指し、筆記体において、「前」とはペン先側を指し、「後」とはその反対側を指す。
【課題を解決するための手段】
【０００６】
［１］本願の第１の発明は、軸筒２内に複数の筆記体６を前後方向に移動可能に収容し、前記各々の筆記体６の後端に操作体７を取り付け、前記各々の操作体７をコイルスプリング８により後方に付勢し、前記軸筒２の側壁に軸方向に延びる複数の窓孔４１を径方向に貫設し、前記各々の窓孔４１から径方向外方に前記各々の操作体７の操作部７１を突出させ、一つの操作部７１を窓孔４１に沿って前方にスライドさせることにより、その一つの操作体７が取り付けられた筆記体６のペン先６４ａを軸筒２の前端孔３１から突出させるとともに、先に突出状態にあった他の筆記体６のペン先６４ａを軸筒２内に没入させてなり、前記軸筒２の後端に、前記各々の窓孔４１を後方に開口させる開閉自在の開口部４２を設け、前記開口部４２を介して筆記体６及び操作体７を連結状態で軸筒２内から取り外し可能且つ軸筒２内に挿入可能に構成し、前記軸筒２の後端部に、前記開口部４２を開閉自在とする蓋部５を設けた多芯筆記具であって、少なくとも筆記体６の一つがシャープペンシルであり、前記蓋部５に消しゴムを設けたことを要件とする。
【０００７】
前記第１の発明の多芯筆記具１は、少なくとも筆記体６の一つがシャープペンシルであり、前記蓋部５に消しゴムを設けたことにより、筆記体６としてシャープペンシルを収容した場合でも、消しゴムを別に用意する必要がなく、しかも、シャープペンシルによる筆跡を消す際、迅速に消去作業を開始できる。
【０００８】
［２］本願の第２の発明は、前記第１の発明の多芯筆記具１において、蓋部５を前方に押圧操作することによって開口部４２が閉鎖される構造を備え、前記蓋部５の後面に消しゴムを突設させたことを要件とする。
【０００９】
前記第２の発明の多芯筆記具１は、蓋部５を前方への押圧操作により閉鎖する場合、蓋部５の消しゴムが滑り止めとなり、蓋部５を確実に前方に押圧して開口部４２を閉鎖することができる。
【００１０】
［３］本願の第３の発明は、前記第１または２の発明の多芯筆記具１において、蓋部５の後面に取付孔５５を設け、前記取付孔５５内に消しゴムを嵌入したことを要件とする。
【００１１】
前記第３の発明の多芯筆記具１は、蓋部５の後面に取付孔５５を設け、前記取付孔５５内に消しゴムを嵌入したことにより、消しゴムを取付孔５５に容易に取り付けることができる。
【００１２】
［４］本願の第４の発明は、前記第３の発明の多芯筆記具１において、前記消しゴムを取付孔５５に交換可能に取り付けたことを要件とする。
【００１３】
前記第４の発明の多芯筆記具１は、消しゴムが摩耗した場合、消しゴムのみを交換することができ、軸筒２を交換する必要がない。
【００１４】
［５］本願の第５の発明は、前記第４の発明の多芯筆記具１において、前記取付孔５５の底壁５６に前後方向に孔５７を貫通させたことを要件とする。
【００１５】
前記第５の発明の多芯筆記具１は、取付孔５５の底壁５６に前後方向に孔５７を貫通させたことにより、消しゴムを取り外す際、蓋部５の前面から前記孔５７に棒状物を挿入し、消しゴムを後方に押し出すことができ、消しゴムの交換が容易となる。
【発明の効果】
【００１６】
本発明によれば、筆記体としてシャープペンシルを収容した場合でも、消しゴムを別に用意する必要がなく、しかも、シャープペンシルによる筆跡を消す際、迅速に消去作業を開始できる多芯筆記具が得られる。
【図面の簡単な説明】
【００１７】
【図１】本発明の多芯筆記具の実施の形態の全ペン先没入状態（非筆記状態）を示す縦断面図である。
【図２】図１の多芯筆記具の一つのペン先が突出した状態（筆記状態）を示す縦断面図である。
【図３】図１の多芯筆記具の後端の開口部を開口した状態を示す側面図である。
【図４】図１の筆記体の前端部を示す拡大縦断面図である。
【図５】図１の互いに連結状態にある筆記体及び操作体を示す外観図である。
【発明を実施するための形態】
【００１８】
図１乃至図５に本発明の実施の形態を示す。
本実施の形態の多芯筆記具１は、軸筒２内に複数本（具体的には２本）の筆記体６が前後方向に移動可能に収容されている。前記各々の筆記体６の後端には操作体７が取り付けられる。前記各々の操作体７は、圧縮コイルスプリングよりなるコイルスプリング８により後方に付勢されている。
【００１９】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６４ａが突出可能な前端孔３１が軸方向に貫設される。前記前軸３及び後軸４は、合成樹脂（例えば、ポリカーボネイト等）または金属により形成される。
【００２０】
前記後軸４の後部の側壁には、複数本（具体的には２本）の前後方向に延びる細長状の窓孔４１が、径方向に貫設される。前記２本の窓孔４１は、互いに、軸線に対して対称の位置に形成される。
【００２１】
また、前記後軸４の窓孔４１の相互間の側壁内面には、前後方向に延びるリブよりなる係止壁部４３が形成され、前記係止壁部４３に、ペン先６４ａが突出した際の筆記体６の操作体７の後端が係止される。
【００２２】
前記後軸４の窓孔４１の相互間の側壁外面には、クリップ４４が設けられる。
【００２３】
（蓋部）
前記後軸４の後端部には、前記開口部４２を開閉自在にする蓋部５が回動自在に設けられる。前記蓋部５の一端部は、クリップ４４基部に、ヒンジ部５２により回動自在に接続される。前記ヒンジ部５２は、ペン先下向きでクリップ４４を正面視したときのクリップ４４の左右方向に延設され、それにより、前記蓋部５は、略前後方向に回動自在となる。前記蓋部５の前面には、当接壁部５１が形成される。前記当接壁部５１に、没入状態の筆記体６の後端に連結された操作体７の後端が、衝止される。本実施の形態では、前記ヒンジ部５２は、具体的には、回動軸により回動自在に接続される構成が採用されているが、これ以外にも、屈曲変形可能な可撓性を有する連結部または薄肉部により一体に接続される構成であってもよい。
【００２４】
前記蓋部５は前方に押圧操作して開口部４２を閉鎖する構造を有する。前記蓋部５の後面には筒状支持部５４が設けられる。前記筒状支持部５４に後方に開口する有底の取付孔５５が形成される。前記取付孔５５に消しゴムが交換可能に嵌入されるとともに、前記取付孔５５の底壁５６に消しゴムの後端が当接される。また、前記取付孔５５の底壁５６には孔５７が前後方向に貫通され、消しゴムを取り外す際、前記孔５７から棒状物を挿入し、消しゴムを後方に押し出すことができ、消しゴムの交換が容易となる。前記消しゴムの後端部は、筒状支持部５４の後端より後方に突出される。尚、前記消しゴムの形状は、例えば、円柱状、角柱状等が挙げられる。
【００２５】
前記蓋部５の他端部の前面には、係合部５３が設けられる（具体的には係合凹部または係合孔部が形成される）。後軸４の後端には、前記係合部５３と係合可能な被係合部４５が設けられる（具体的には係合凸部が突設される）。前記係合部５３（係合凹部または係合孔部）の内面には、内向突起が形成され、一方、前記被係合部４５（係合凸部）の外面には、前記内向突起と乗り越え係止可能な外向突起が形成される。
【００２６】
前記係合部５３と前記被係合部４５とは、蓋部５が開口部４２を閉鎖した際、互いに係合状態にあり（具体的には内向突起と外向突起が乗り越え係止状態にあり）、コイルスプリング８の後方への付勢による操作体７と蓋部５前面の当接壁部５１との当接では、その係合状態は解除されず、蓋部５が開くことはない。
【００２７】
また、前記係合部５３と被係合部４５の構成以外にも、前記係合部５３が係合凸部よりなり、前記被係合部４５が係合凹部または係合孔部からなる構成でもよい。尚、前記係合部５３（係合凹部または係合孔部）は取付孔５５または孔５７と連通していてもよい。
【００２８】
（筆記体）
前記各々の筆記体６は、ノック式のシャープペンシルであり、鉛芯収容筒体６１と、該鉛芯収容筒体６１の前端に鉛芯補充可能に着脱自在に取り付けられる連結筒体６２と、該連結筒体６２の前端に設けたチャック体６３と、前記連結筒体６２前端部及び前記チャック体６３を内部に収容し、前記連結筒体６２に対して前後方向に移動可能に取り付けられる前端筒体６４と、該前端筒体６４内に収容され、前記チャック体６３を締め付ける締め付けリング６５と、前記前端筒体６４と前記連結筒体６２との間に介在され、前記前端筒体６４を前記連結筒体６２に対して前方に付勢するチャックスプリング６６とからなる。前記前端筒体６４の前端部が筆記体６のペン先６４ａとなる。
【００２９】
前記鉛芯収容筒体６１内には、鉛芯６７が収容される。前記鉛芯収容筒体６１をチャックスプリング６６の付勢に抗して前端筒体６４に対し前方に押圧すると、鉛芯収容筒体６１の前進とともに、連結筒体６２及びチャック体６３が前進し、チャック体６３が締め付けリング６５から離れる。前記チャック体６３の前進に伴い鉛芯６７が前方に繰り出され、前記前端筒体６４の前端開口部４２から鉛芯６７が前方に突出される。そして、前記鉛芯収容筒体６１の前端筒体６４に対する前方への押圧を解除すると、チャック体６３がチャックスプリング６６の付勢によって後退し、締め付けリング６５がチャック体６３の外周面に係合し、締め付けリング６５がチャック体６３を径方向内方に締め付けることにより、チャック体６３が、前記繰り出された鉛芯６７を再び保持する。それにより、前記前端筒体６４の前端開口部４２からの鉛芯６７の突出状態が維持される。
【００３０】
本実施の形態において、前記前端筒体６４、前記連結筒体６２、前記鉛芯収容筒体６１、及び前記チャックスプリング６６の最大外径は、前記各々のコイルスプリング８の内径（非圧縮状態のコイルスプリング８の内径）より小さく形成される。それにより、シャープペンシルからなる筆記体６を軸筒２の後端の開口部４２から挿入する際、筆記体６がコイルスプリング８に引っ掛かることを回避し、筆記体６をコイルスプリング８内部にスムーズに挿入できる。
【００３１】
本実施の形態において、前記前端筒体６４、前記連結筒体６２、前記鉛芯収容筒体６１、及び前記チャックスプリング６６の最大外径は、スプリング支持部９の各々の内孔９１の内径より小さく形成される。それにより、シャープペンシルからなる筆記体６を軸筒２の後端の開口部４２から挿入する際、筆記体６が内孔９１に引っ掛かることを回避し、筆記体６を内孔９１にスムーズに挿入できる。
【００３２】
本実施の形態において、前記前端筒体６４、前記連結筒体６２、前記鉛芯収容筒体６１、及び前記チャックスプリング６６の最大外径は、前記各々の窓孔４１の幅寸法より小さく形成される。それにより、シャープペンシルからなる筆記体６を軸筒２の後端の開口部４２から挿入する際、筆記体６が窓孔４１に引っ掛かることを回避し、筆記体６を窓孔４１にスムーズに挿入できる。
【００３３】
（操作体）
前記各々の筆記体６の後端（即ち鉛芯収容筒体６１の後端開口部）には、操作体７が取り付けられる。前記各々の操作体７は、操作部７１と、後側突出部７３と、前側突出部７２と、嵌入部７４と、鍔部７５とを備える。前記操作部７１は、操作体７の後端部に形成され且つ軸筒２の窓孔４１から外部に突出される。前記後側突出部７３は、操作体７の操作部７１の反対側に設けられる。前記前側突出部７２は、操作体７の操作部７１の反対側の後側突出部７３の前方に設けられる。前記嵌入部７４は、操作体７の前端部に形成され且つ鉛芯収容筒体６１の後端開口部に嵌入される。前記鍔部７５は、前記嵌入部７４の後方に形成される。前記鍔部７５の前面には、コイルスプリング８の後端が係止される。
【００３４】
また、前記操作体７の両方の側面には係止突起（図示せず）が形成される。前記係止突起は窓孔４１の両側壁に抜け止め係合可能である。前記操作体７は、合成樹脂（例えば、ポリプロピレン樹脂、ＡＢＳ樹脂、ポリアセタール樹脂等）の成形体により得られる。
【００３５】
筆記体６のペン先６４ａが没入状態のとき、その筆記体６に取り付けられた操作体７の後端部は、窓孔４１後端に形成された当接壁部５１に衝止される。一方、筆記体６のペン先６４ａが突出状態のとき、その筆記体６に取り付けられた操作体７の後端部は、軸筒２の内壁に形成された係止壁部４３に係止される。
【００３６】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００３７】
（スプリング支持部）
軸筒２の内壁（即ち後軸４の内壁）には、円筒状のスプリング支持部９が設けられる。前記スプリング支持部９は、筆記体６が挿通される複数（具体的には２個）の内孔９１が軸方向に貫設されている。前記スプリング支持部９の後面と、各々の操作体７の鍔部７５の前面との間には、コイルスプリング８が配置される。前記各々のコイルスプリング８の内部に筆記体６が遊挿されるとともに、各々のコイルスプリング８の前端はスプリング支持部９の後面により係止され、各々のコイルスプリング８の後端は操作体７の鍔部７５の前面に係止される。
【００３８】
また、スプリング支持部９の後面の各々の内孔９１の周囲には、後方に突出する筒状突出部よりなる保持部が形成される。前記各々の保持部の内面は、各々のコイルスプリング８の前端部外面が圧入保持される。それにより、各々の筆記体６及び操作体７を交換する際、軸筒２内から開口部４２を通して各々のコイルスプリング８が脱落することを防止できる。
【００３９】
前記各々のコイルスプリング８は、各々の操作体７（即ち各々の筆記体６）を、常時、後方に付勢している。前記各々のコイルスプリング８は、ペン先突出状態及びペン先没入状態のいずれにおいても圧縮状態（即ち筆記体６が後方に付勢された状態）にあり、それにより、各々の操作体７の前後のがたつきが防止される。また、前記各々のコイルスプリング８は、その内部に筆記体６が挿通される前の状態では、非圧縮状態（フリー状態）となる。
【００４０】
（ペン先の出没）
本実施の形態におけるペン先の出没作動について説明する。
一つの操作体７の操作部７１をコイルスプリング８の後方付勢に抗して窓孔４１に沿って前方にスライド操作すると、そのスライド操作された操作体７の前側突出部７２が、先に突出状態にある他の筆記体６の操作部７１の後側突出部７３を径方向外方に持ち上げる。それにより、軸筒２内壁の係止壁部４３と他の筆記体６の操作体７との係止状態が解除され、他の筆記体６がコイルスプリング８の後方付勢により後方に移動され、他の筆記体６のペン先６４ａが軸筒２内に没入され、他の筆記体６の操作部７１の後端が窓孔４１後端の当接壁部５１に当接衝止される。前記他の筆記体６のペン先６４ａの没入と同時に、前記前方にスライド操作した操作体７に連結された筆記体６のペン先６４ａが、軸筒２の前端孔３１より外部に突出されるとともに、前方にスライド操作された操作体７の後端が軸筒２内壁の係止壁部４３に係止され、そのペン先突出状態が維持される。
【００４１】
（鉛芯の繰り出し操作）
ペン先６４ａを軸筒２の前端孔３１より前方に突出された状態において、そのペン先突出状態にある筆記体６に連結された操作体７の操作部７１を前方に押圧操作すると、筆記体６の前端筒体６４の外面が軸筒２の前端部内壁に係止されるとともに、鉛芯収容筒体６１、連結筒体６２、及びチャック体６３が、チャックスプリング６６の付勢に抗して前方に移動される。それに伴い、チャック体６３がチャックリング６５の締め付けから開放されるとともに、鉛芯６７が前方に繰り出され、前端筒体６４の前端開口部から鉛芯６７が前方に突出される。そして、操作部７１の前方への押圧を解除すると、チャック体６３がチャックスプリング６６の付勢によって後退し、締め付けリング６５がチャック体６３の外周面に係合し、締め付けリング６５がチャック体６３を径方向内方に締め付けることにより、チャック体６３が、前記繰り出された鉛芯６７を再び保持する。それにより、前端筒体６４の前端開口部（ペン先６４ａの前端）からの鉛芯６７の突出状態が維持される。
【００４２】
（筆記体及び操作体の交換）
本実施の形態における筆記体６及び操作体７の交換について説明する。
筆記体６を交換する際、蓋部５が軸筒２の後端の開口部４２を閉鎖した状態（図１参照）から、蓋部５のヒンジ部５２と反対側の操作端部を後方に押圧し、係合部５３と被係合部４５との係合を解除し、蓋部５を後方に回動させ、軸筒２の後端の開口部４２を開口する。前記開口部４２を開口させると、前記開口部４２から各々の操作体７が、コイルスプリング８の後方付勢により後方外部に突出される。前記軸筒２の後端の開口部４２が開口した状態（図３参照）で、操作体７を取り出すことにより、その操作体７と互いに連結状態にある筆記体６を、前記開口部４２を通して軸筒２内から取り出し、その後、互いに連結状態にある新たな筆記体６と新たな操作体７とを前記開口部４２を通して軸筒２内に挿入する。そして、蓋部５の当接壁部５１に各々の操作体７を当接させ、各々の操作体７を前方に押圧しながら蓋部５の後面の消しゴムに指を当て蓋部５を前方に回動させ、その後、係合部５３と被係止部とを係合させ、開口部４２を閉鎖する。これにより、筆記体６及び操作体７の交換作業が終了する。
【００４３】
本実施の形態の多芯筆記具１は、少なくとも筆記体６の一つがシャープペンシルであり、前記蓋部５に消しゴムを設けたことにより、筆記体６としてシャープペンシルを収容した場合でも、消しゴムを別に用意する必要がなく、しかも、シャープペンシルによる筆跡を消す際、迅速に消去作業を開始できる。
【００４４】
本実施の形態の多芯筆記具１は、蓋部５を前方に押圧操作することによって開口部４２が閉鎖される構造を備え、前記蓋部５の後面に消しゴムを突設させたことにより、蓋部５を前方への押圧操作により閉鎖する場合、蓋部５の消しゴムが滑り止めとなり、蓋部５を確実に前方に押圧して開口部４２を閉鎖することができる。
【００４５】
本実施の形態の多芯筆記具１は、蓋部５の後面に取付孔５５を設け、前記取付孔５５内に消しゴムを嵌入したことにより、消しゴムを取付孔５５に容易に取り付けることができる。
【００４６】
本実施の形態の多芯筆記具１は、消しゴムを取付孔５５に交換可能に取り付けたことにより、消しゴムが摩耗した場合、消しゴムのみを交換することができ、軸筒２を交換する必要がない。
【００４７】
本実施の形態の多芯筆記具１は、取付孔５５の底壁５６に前後方向に孔５７を貫通させたことにより、消しゴムを取り外す際、蓋部５の前面から前記孔５７に棒状物を挿入し、消しゴムを後方に押し出すことができ、消しゴムの交換が容易となる。
【符号の説明】
【００４８】
１  多芯筆記具
２  軸筒
３  前軸
３１  前端孔
４  後軸
４１  窓孔
４２  開口部
４３  係止壁部
４４  クリップ
４５  被係合部
５  蓋部
５１  当接壁部
５２  ヒンジ部
５３  係合部
５４  筒状支持部
５５  取付孔
５６  底壁
５７  孔
６  筆記体
６１  鉛芯収容筒体
６２  連結筒体
６３  チャック体
６４  前端筒体
６４ａ  ペン先
６５  締め付けリング
６６  チャックスプリング
６７  鉛芯
７  操作体
７１  操作部
７２  前側突出部
７３  後側突出部
７４  嵌入部
７５  鍔部
８  コイルスプリング
９  スプリング支持部
９１  内孔
１０  消しゴム
【図１】
2011084007.tif 000003
【図２】
2011084007.tif 000004
【図３】
2011084007.tif 000005
【図４】
2011084007.tif 000006
【図５】
2011084007.tif 000007